(57)【要約】【課題】使い勝手がよく、使用に際しては被掃除面、壁など傷付けることなく、掃除機本体のデザイン性も向上する電気掃除機を提供することを目的とする。【解決手段】走行手段６を有する掃除機本体１と、前記掃除機本体１の後面１４を被掃除面１３に接地させたとき、前記状態を維持する保持体９を備え、前記保持体９は前記掃除機本体１内に収納可能なもので、保持体９が掃除機本体１から突出することなく、使用に際して被掃除面１３や壁を傷付けることが無く、掃除機本体１のデザイン性を損なうことがない。【選択図】　図２
2004105587.tif 000002
【特許請求の範囲】
【請求項１】
吸引風を発する電動送風機と走行手段からなる掃除機本体と、前記掃除機本体の後面を被掃除面に接地させたとき、前記状態を維持する保持体を備え、前記保持体は前記掃除機本体内に収納可能な電気掃除機。
【請求項２】
掃除機本体は複数個の保持体を備え、前記保持体のうち少なくとも１個以上を前記掃除機本体内に収納可能とした請求項１記載の電気掃除機。
【請求項３】
保持体を摺動させることで、掃除機本体内に収納させる請求項１または２記載の電気掃除機。
【請求項４】
掃除機本体と保持体を連結する軸部を中心にして回動させることで、前記掃除機本体に前記保持体を収納させる請求項１または２記載の電気掃除機。
【請求項５】
掃除機本体の上方向に設けた保持体は、把手形状に形成したことを特徴とする請求項１〜４のいずれか１項に記載の電気掃除機。
【請求項６】
保持体が掃除機本体と、複数の位置で固定可能である請求項１〜５のいずれか１項に記載の電気掃除機。
【請求項７】
保持体と掃除機本体は、磁石により固定可能である請求項１〜６のいずれか１項に記載の電気掃除機。
【発明の詳細な説明】
【０００１】
【発明の属する技術分野】
本発明は、一般家庭において使用する電気掃除機に関するものである。
【０００２】
【従来の技術】
従来の電気掃除機は図５、図６に示すものが一般的であり、以下図面にしたがって説明する。
【０００３】
図５に示すように、掃除機本体１は電動送風機２を内蔵し、掃除機本体１に一端を接続されるホース３とホース３の他端に接続される延長管４と吸込具５から電気掃除機は構成されている。また、前記掃除機本体１は走行手段である移動用のローラー６を備え、掃除機本体１の後面１４には、後面１４を被掃除面に１３に接地して立てたとき、ローラー６とともに掃除機本体１を保持する保持体９を設けている。また、図６に示すように掃除機本体の後面に保持体９を上下に複数個設けた構成もあった。
【０００４】
【発明が解決しようとする課題】
このような従来の電気掃除機では、保持体５が掃除機本体１から突出しているため、後面１４から被掃除面１３に落としてしまったときや移動の際に壁などに当たったときなどには、被掃除面１３や壁に傷つく恐れがあった。また、保持体５によって、掃除機本体のデザイン性を悪化させる場合があり、掃除機本体１の形状を規制してしまうという課題もあった。さらに、ローラー４と保持体５で掃除機本体１を保持する場合には、ローラーと保持体５との距離が短くなり、安定性が悪いという課題もある。
【０００５】
本発明は上記課題を解決するもので、使い勝手がよく、使用に際しては被掃除面、壁など傷付けることなく、掃除機本体のデザイン性も向上する電気掃除機を提供することを目的とする。
【０００６】
【課題を解決するための手段】
上記目的を達成するために本発明は、吸引風を発する電動送風機と走行手段からなる掃除機本体と、前記掃除機本体の後面を被掃除面に接地させたとき、前記状態を維持する保持体を備え、前記保持体は前記掃除機本体内に収納可能なもので、保持体が掃除機本体から突出することなく、使用に際して被掃除面や壁を傷付けることが無く、掃除機本体のデザイン性を損なうことがない。
【０００７】
【発明の実施の形態】
本発明の請求項１記載の発明は、吸引風を発する電動送風機と走行手段からなる掃除機本体と、前記掃除機本体の後面を被掃除面に接地させたとき、前記状態を維持する保持体を備え、前記保持体は前記掃除機本体内に収納可能なもので、保持体が掃除機本体から突出することなく、使用に際して被掃除面や壁を傷付けることが無く、掃除機本体のデザイン性を損なうことがない。
【０００８】
本発明の請求項２記載の発明は、掃除機本体は複数個の保持体を備え、前記保持体のうち少なくとも１個以上を前記掃除機本体内に収納可能としたもので、保持体が掃除機本体から突出することなく、使用に際して被掃除面や壁を傷付けることが無く、掃除機本体のデザイン性を損なうことがない。また、保持体のみで掃除機本体を保持するため、安定性がさらに向上する。
【０００９】
本発明の請求項３記載の発明は、保持体を摺動させることで、掃除機本体内に収納させるもので、保持体が掃除機本体から突出することなく、使用に際して被掃除面や壁を傷付けることが無く、掃除機本体のデザイン性を損なうことがない。
【００１０】
本発明の請求項４記載の発明は、掃除機本体と保持体を連結する軸部を中心にして回動させることで、前記掃除機本体に前記保持体を収納させるもので、掃除機本体内部に部品を収納するための体積を最大に保つことができ、掃除機本体を小型化することができる。
【００１１】
本発明の請求項５記載の発明は、掃除機本体の上方向に設けた保持体は、把手形状に形成したことを特徴とするもので、保持体は掃除機本体の後面を下にして被掃除面に置くときの保持の役割だけでなく、通常使用状態では、保持体を把手としても使用でき、部品点数の削減ができる。
【００１２】
本発明の請求項６記載の発明は、保持体が掃除機本体と、複数の位置で固定可能であるもので、掃除機本体の後面を下にして被掃除面に置くとき、被掃除面の傾斜に合わせて保持体を移動させることで、掃除機本体の安定性を調節できることができる。
【００１３】
本発明の請求項７記載の発明は、保持体と掃除機本体は、磁石により固定可能であるもので、前記保持体を前記掃除機本体より突出させたときも、その状態を維持できるものである。
【００１４】
【実施例】
（実施例１）
以下、本発明の第１の実施例を図１、図２を用いて説明する。図１、図２に示すように、掃除機本体１は吸引風を発する電動送風機２を内蔵し、掃除機本体１に一端を接続されるホース３と前記ホース３の他端に接続される延長管４と吸込具５から電気掃除機は構成されている。掃除機本体１は、走行手段である移動用のローラー６を有し、掃除機本体の後面１４よりローラー６は突出した位置にある。また、掃除機本体の後面１４の下方には、保持体９が設けられていて、磁石８（掃除機本体１側にも取り付けられている）によって掃除機本体１に収納可能で、使用者が手で保持体９を引き出すと、前記磁石８による前記掃除機本体１との接着は解除され、前記保持体９は回動軸１０を中心に回動する。
【００１５】
上記構成による作用は以下の通りである。掃除機本体１の後面１４を被掃除面１３に接地させ置くとき、上記のように保持体９を回動させて、ローラー６と保持体９で掃除機本体１を保持する。また、掃除機本体１の後面１４を下にして被掃除面１３に置いている状態から、掃除機本体１を被掃除面１３から離し、少し掃除機本体１を図２における時計回りと反対方向に振ると、保持体９が収納方向に自動的に移動して、前記掃除機本体１に前記磁石８により接着するため、保持体９を使用者が手で収納するという無駄な作業を省略でき、使用性が向上する。
【００１６】
通常使用状態では保持体９は、前記磁石８によって掃除機本体１と接着し収納されているため、掃除機本体１からの突出がなく、被掃除面１３や壁を傷付けることがない。また、掃除機本体１のデザインを損なうこともなく、さらに掃除機本体１の内部に部品を収納するための体積を最大に保つことができ、掃除機本体１を小型化することができる。
【００１７】
（実施例２）
次に本発明の第２の実施例を図３、図４を用いて説明する。なお上記第１の実施例と同一構成部品については同一符号を付して、その説明を省略する。
【００１８】
第一の保持体１１は、掃除機本体の後面１４の上方（通常使用状態の場合を基本として）に、掃除機本体１に対して摺動動作できるようとり付けられており、掃除機本体１から引き出されたときは、複数の位置で固定される。また、保持体１１の形状は把手構造となっている。第２の保持体１２は掃除機本体の後面１４下方にとり付けられている。
【００１９】
上記構成による作用は以下の通りである。
【００２０】
掃除機本体は第１、第２の保持体で保持され、第１の保持体１１は複数の位置で固定されるため、被掃除面の傾斜に合わせて高さを変えて、掃除機本体の安定性を向上できる。また、第１の保持体１１は把手構造となっているため、通常使用状態では、把手として用いることができ、部品点数の削減にもなる。
【００２１】
なお、第２の実施例においても、磁石８（掃除機本体１側にも取り付けられている）によって掃除機本体１に収納可能で、使用者が手で保持体９を引き出すという構成は、同一である。
【００２２】
【発明の効果】
本発明によれば、使い勝手がよく、使用に際しては被掃除面、壁など傷付けることなく、掃除機本体のデザイン性も向上する電気掃除機を提供できる。
【図面の簡単な説明】
【図１】本発明の第１の実施例を示す電気掃除機の全体図
【図２】同掃除機本体の後面を被掃除面に接地させたときの状態図
【図３】本発明の第２の実施例を示す掃除機本体の後面を被掃除面に接地させたときの状態図
【図４】図３のＡ−Ａ断面図
【図５】従来の掃除機本体の後面を被掃除面に接地させたときの状態図
【図６】同他の掃除機本体の後面を被掃除面に接地させたときの状態図
【符号の説明】
１　掃除機本体
６　ローラー（走行手段）
８　磁石
９　保持体
１０　回動軸
【図１】
2004105587.tif 000003
【図２】
2004105587.tif 000004
【図３】
2004105587.tif 000005
【図４】
2004105587.tif 000006
【図５】
2004105587.tif 000007
【図６】
2004105587.tif 000008